(57)【特許請求の範囲】
【請求項１】
表示ユニットと、この表示ユニットが取り付けられる支柱とを備え、
上記表示ユニットが、表示ユニット本体と、この表示ユニット本体を上記支柱に取り付けるために、上記支柱に取り付けられることができる被取り付け機構とを備えている保育器において、
上記支柱が、この支柱のほぼ長さ方向に沿って延在している長手状の表示ユニット取り付け手段を備え、
上記被取り付け機構が、上記表示ユニット取り付け手段のほぼ長さ方向における第１の位置において、上記表示ユニット取り付け手段に取り付けられることができるように構成され、
上記表示ユニット取り付け手段の上記第１の位置に取り付けられている上記被取り付け機構が、上記表示ユニット取り付け手段への取り付け状態をほぼ保持されながら、上記第１の位置とは異なる第２の位置まで上記表示ユニット取り付け手段の上記ほぼ長さ方向に移動させられて、上記支柱の上記第２の位置に取り付けられることができるように構成され、
上記表示ユニット取り付け手段が、上記第１の位置と上記第２の位置とをそれぞれ含むように上記支柱のほぼ長さ方向に沿って延在している長手状開口部と、この長手状開口部の一方の側に沿って延在している第１の長手状側端部と、上記長手状開口部の他方の側に沿って延在している第２の長手状側端部とを備え、
上記被取り付け機構が、上記第１の長手状側端部と係合することができる第１の爪部と、上記第２の長手状側端部と係合することができる第２の爪部とを備え、
上記第２の爪部が、上記第１の爪部に対して、離間している状態から接近している状態へと往動することと、接近している状態から離間している状態へと復動することとができるように構成されていることを特徴とする保育器。
【請求項２】
上記被取り付け機構が、上記第１の爪部を有する支持部材と、この支持部材に回動可能に支持されかつ上記第２の爪部を有する爪部材と、上記爪部材を往回動および復回動させるために操作される操作手段とを備え、
上記操作手段を往動操作したときに、上記第２の爪部が上記第１の爪部に接近するとともに、上記操作手段を復動操作したときに、上記第２の爪部が上記第１の爪部から離間するように構成されていることを特徴とする請求項１に記載の保育器。
【請求項３】
上記被取り付け機構が、上記操作手段を第１の往動状態まで往動操作したときには、上記表示ユニット取り付け手段の上記ほぼ長さ方向に移動させられることができるとともに、上記操作手段を上記第１の往動状態よりもさらに往動操作したときには、上記表示ユニット取り付け手段から取り外すことができるように構成されていることを特徴とする請求項２に記載の保育器。
【請求項４】
上記第２の爪部が上記第１の爪部に接近するように、上記爪部材を上記支持部材に対して相対的に付勢している付勢手段が備えられていることを特徴とする請求項２または３に記載の保育器。
【請求項５】
上記操作手段が、上記爪部材に設けられている長孔を貫通してから上記支持部材にねじ込まれている回動摘みから構成されていることを特徴とする請求項２、３または４に記載の保育器。
【請求項６】
上記支持部材が、上記第１の爪部の基端付近における一方の側に第１の肩部を有するとともに、上記第１の爪部の上記基端付近における他方の側に第２の肩部を有し、
上記第２の爪部側とは反対側の側面において上記第１の爪部に設けられたほぼ平坦な第１の先端側の部分と、上記第１の爪部側とは反対側の側面において上記第２の爪部に設けられたほぼ平坦な第２の先端側の部分とを備え、
上記被取り付け機構が上記表示ユニット取り付け手段に取り付けられた取り付け状態においては、第１の長手状側端部が、上記第１の肩部と上記第１の先端側の部分とによって挟み込まれるとともに、上記第２の長手状側端部が、上記第２の肩部と上記第２の先端側の部分とによって挟み込まれるように構成されていることを特徴とする請求項２〜５のうちのいずれか１つに記載の保育器。
【請求項７】
上記第１の肩部と上記第１の先端側の部分との成す角度が、２４°〜３６°の範囲であり、
上記被取り付け機構が上記表示ユニット取り付け手段に取り付けられた取り付け状態においては、上記第２の肩部と上記第２の先端側の部分との成す角度が、２８°〜４２°の範囲であることを特徴とする請求項６に記載の保育器。
【請求項８】
上記表示ユニット本体と上記被取り付け機構とを連結している支持アームを備え、
上記表示ユニット本体が、上記支持アームに対して、ほぼ水平方向に回動可能であるとともに、ほぼ起伏方向にも回動可能であるように構成され、
上記支持アームが、上記被取り付け機構に対して、ほぼ水平方向に回動可能であるように構成されていることを特徴とする請求項１〜７のうちのいずれか１つに記載の保育器。
【請求項９】
加熱器および天面フードのうちの少なくとも一方を取り付け支持するように構成されたサブ支柱を備え、
上記サブ支柱が、固定支柱と、この固定支柱に対して伸縮するように構成された可動支柱とを備え、
上記支柱が、上記固定支柱から構成され、
上記長手状開口部が、上記固定支柱のほぼ全長にわたって設けられていることを特徴とする請求項１〜８のうちのいずれか１つに記載の保育器。
【発明の詳細な説明】
【技術分野】
【０００１】
本発明は、表示ユニットと、この表示ユニットが取り付けられる支柱とを備え、上記表示ユニットが、表示ユニット本体と、この表示ユニット本体を上記支柱に取り付けるために、上記支柱に取り付けられることができる被取り付け機構とを備えている保育器に関するものである。
【背景技術】
【０００２】
上述のような保育器は、例えば特許文献１に記載されている。そして、この特許文献１の保育器は、操作ユニット兼用の表示ユニットと、この操作ユニット兼用の表示ユニットが取り付けられる支柱とを備えている。そして、上記操作ユニット兼用の表示ユニットは、操作ユニット本体兼用の表示ユニット本体と、この操作ユニット本体兼用の表示ユニット本体を上記支柱に取り付けるために、上記支柱にほぼ同心状に取り付けられることができる被取り付け機構とを備えている。また、上記被取り付け機構は、上記支柱に回動可能に取り付けられる円筒部と、この円筒部からほぼ水平方向に突出している取り付けアーム部と、操作ユニット本体兼用の表示ユニット本体の背面からほぼ後方に向かって突出している被取り付け部と、上記被取り付け部を上記取り付けアーム部に回動可能に軸支している水平軸とを備えている。したがって、特許文献１の保育器においては、上記円筒部を上記支柱の高さ方向における比較的低い位置において上記支柱に取り付けておけば、医師、看護師などの取扱者が、操作ユニット本体兼用の表示ユニット本体の操作部を比較的容易に操作することができるとともに、操作ユニット本体兼用の表示ユニット本体の表示画面を、保育器の近くで、比較的容易に視認することができる。
【先行技術文献】
【特許文献】
【０００３】
【特許文献１】特表２００２−５２８１４２号公報
【発明の概要】
【発明が解決しようとする課題】
【０００４】
しかし、特許文献１の保育器においては、操作ユニット本体兼用の表示ユニット本体の操作部を比較的容易に操作できるようにするために、操作ユニット本体兼用の表示ユニット本体（換言すれば、上記円筒部）を、保育器のエンクロージャとほぼ同一の高さにおいて、上記支柱に取り付ける必要がある。したがって、特許文献１の保育器においては、この保育器の近くで取扱者が操作ユニット本体兼用の表示ユニット本体の表示部を視認することは比較的容易であるが、上記保育器から或る程度離れた処から上記表示部を視認することは比較的困難である。特に、特許文献１の保育器においては、複数台の保育器を前方から後方に向かって順次配列した場合には、ほぼ同一の場所に居る取扱者が、最も前方にある保育器の上記表示部を視認することはできても、最も前方に有る保育器よりも後方に有る２台目以降の保育器の上記表示部を視認することはかなり困難である。
【０００５】
本発明は、特許文献１の保育器における上述のような欠点を、比較的簡単な構成でもって、効果的に是正し得るようにしたものである。
【課題を解決するための手段】
【０００６】
本発明は、表示ユニット（好ましくは、操作ユニット兼用の表示ユニット）と、この表示ユニットが取り付けられる支柱とを備え、上記表示ユニットが、表示ユニット本体（好ましくは、操作ユニット本体兼用の表示ユニット本体）と、この表示ユニット本体を上記支柱に取り付けるために、上記支柱に取り付けられることができる被取り付け機構とを備えている保育器において、上記支柱が、この支柱のほぼ長さ方向に沿って延在している長手状の表示ユニット取り付け手段を備え、上記被取り付け機構が、上記表示ユニット取り付け手段のほぼ長さ方向における第１の位置（好ましくは、任意の位置）において、上記表示ユニット取り付け手段に取り付けられることができるように構成され、上記表示ユニット取り付け手段の上記第１の位置に取り付けられている上記被取り付け機構が、上記表示ユニット取り付け手段への取り付け状態をほぼ保持されながら、上記第１の位置とは異なる第２の位置（好ましくは、別の任意の位置）まで上記表示ユニット取り付け手段の上記ほぼ長さ方向に移動（好ましくは、上記表示ユニット取り付け手段に摺動しながら移動）させられて、上記支柱の上記第２の位置に取り付けられることができるように構成されていることを特徴とする保育器に係るものである。
【０００７】
なお、本発明の第１の観点においては、上記表示ユニット取り付け手段が、上記第１の位置と上記第２の位置とをそれぞれ含むように上記支柱のほぼ長さ方向に沿って延在している長手状開口部と、この長手状開口部の一方の側に沿って延在している第１の長手状側端部と、上記長手状開口部の他方の側に沿って延在している第２の長手状側端部とを備え、上記被取り付け機構が、上記第１の長手状側端部と係合することができる第１の爪部と、上記第２の長手状側端部と係合することができる第２の爪部とを備え、上記第２の爪部が、上記第１の爪部に対して、離間している状態から接近している状態へと往動することと、接近している状態から離間している状態へと復動することとができるように構成されている。そして、本発明の第２の観点においては、上記第１の観点における構成に加えて、上記被取り付け機構が、上記第１の爪部を有する支持部材と、この支持部材に回動可能に支持されかつ上記第２の爪部を有する爪部材と、上記爪部材を往回動および復回動させるために操作される操作手段とを備え、上記操作手段を往動操作したときに、上記第２の爪部が上記第１の爪部に接近するとともに、上記操作手段を復動操作したときに、上記第２の爪部が上記第１の爪部から離間するように構成されている。
【０００８】
また、本発明の上記第２の観点の第１の態様においては、上記被取り付け機構が、上記操作手段を第１の往動状態まで往動操作したときには、上記表示ユニット取り付け手段の上記ほぼ長さ方向に移動させられることができるとともに、上記操作手段を上記第１の往動状態よりもさらに往動操作したときには、上記表示ユニット取り付け手段から取り外すことができるように構成されている。そして、本発明の上記第２の観点の第２の態様においては、上記第２の爪部が上記第１の爪部に接近するように、上記爪部材を上記支持部材に対して相対的に付勢している付勢手段が備えられている。さらに、本発明の上記第２の観点の第３の態様においては、上記操作手段が、上記爪部材に設けられている長孔を貫通してから上記支持部材にねじ込まれているねじ部材から構成されている。また、本発明の上記第２の観点の第４の態様においては、上記支持部材が、上記第１の爪部の基端付近における一方の側に第１の肩部を有するとともに、上記第１の爪部の上記基端付近における他方の側に第２の肩部を有し、上記第２の爪部側とは反対側の側面において上記第１の爪部に設けられたほぼ平坦な第１の先端側の部分と、上記第１の爪部側とは反対側の側面において上記第２の爪部に設けられたほぼ平坦な第２の先端側の部分とを備え、上記被取り付け機構が上記表示ユニット取り付け手段に取り付けられた取り付け状態においては、第１の長手状側端部が、上記第１の肩部と上記第１の先端側の部分とによって挟み込まれるとともに、上記第２の長手状側端部が、上記第２の肩部と上記第２の先端側の部分とによって挟み込まれるように構成されている。そして、本発明の上記第２の観点の第５の態様においては、上記第１の肩部と上記第１の先端側の部分との成す角度が、２０°〜４０°（さらに好ましくは、２４°〜３６°）の範囲であり、上記被取り付け機構が上記表示ユニット取り付け手段に取り付けられた取り付け状態においては、上記第２の肩部と上記第２の先端側の部分との成す角度が、２４°〜４６°（さらに好ましくは、２８°〜４２°）の範囲である。
【０００９】
また、本発明の第３の観点においては、上記表示ユニット本体と上記被取り付け機構とを連結している支持アームを備え、上記表示ユニット本体が、上記支持アームに対して、ほぼ水平方向に回動可能であるとともに、ほぼ起伏方向にも回動可能であるように構成され、上記支持アームが、上記被取り付け機構に対して、ほぼ水平方向に回動可能であるように構成されている。さらに、本発明の第４の観点においては、加熱器および天面フードのうちの少なくとも一方を取り付け支持するように構成されたサブ支柱を備え、上記サブ支柱が、固定支柱と、この固定支柱に対して伸縮するように構成された可動支柱とを備え、上記支柱が、上記固定支柱から構成され、上記長手状開口部が、上記固定支柱のほぼ全長にわたって設けられている。
【発明の効果】
【００１０】
請求項１に記載の発明によれば、比較的簡単な構成であるにもかかわらず、支柱の比較的低い位置と比較的高い位置との両方の位置において、表示ユニット本体を支柱に比較的簡単かつ比較的確実に取り付けることができるとともに、表示ユニット本体を比較的低い位置や比較的高い位置に移動させる操作が比較的簡単で比較的確実である。したがって、取扱者は、保育器の近くで、上記比較的低い位置に有る表示ユニット本体の表示部を詳細に視認することも、保育器から或る程度離れた処から、上記比較的高い位置に有る上記表示部を比較的おおざっぱに視認したりすることができる。そして、表示ユニット本体が操作ユニット本体を兼ねている場合には、取扱者は、保育器の近くで、上記比較的低い位置に有る操作ユニット本体兼用の表示ユニット本体の操作部を比較的容易に操作することができる。また、表示ユニット本体が警報灯を備えている場合には、取扱者は、保育器から或る程度離れた処から、上記比較的高い位置に有る上記表示部を比較的容易に視認することができる。さらに、複数台の保育器を前方から後方に向かって順次配列した場合には、前方にある保育器から後方にある保育器にかけて表示ユニット本体の位置を順次高くしておけば、取扱者は、前方にある保育器から後方にある保育器までの上記表示部を、ほぼ同一の場所で、それぞれ視認することができる。
【００１１】
また、請求項２に記載の発明によれば、支柱には、長手状開口部、第１の長手状側端部および第２の長手状側端部を具備させるだけでよいから、表示ユニット取り付け手段を設けるために支柱から外方に突出した突出部を支柱に形成する必要が特になく、支柱のほぼ長さ方向に沿って延在している長手状開口部（好ましくは、長手状入口部）を支柱に実質的に形成すればよい。したがって、支柱の構造を特に複雑にする必要がなく、また、表示ユニット取り付け手段が取扱者などにとって邪魔になるおそれもない。しかも、被取り付け機構には、第１の爪部および第２の爪部を具備させるとともに、上記第２の爪部を上記第１の爪部に対して離間させたり接近させたりするだけでよいから、被取り付け機構の構成も比較的簡単である。それでいて、上記支柱に対する上記被取り付け機構の動作も比較的簡単で比較的確実である。
【００１２】
また、請求項３に記載の発明によれば、第２の爪部が操作手段の往動および復動に応じて第１の爪部に接近したり離間したりするようにしたから、第１の爪部に対する第２の爪部の接近および離間の動作を、比較的簡単な構成でもって、比較的簡単かつ比較的確実に行うことができる。そして、請求項４に記載の発明によれば、比較的簡単な構成でもって、被取り付け機構が、操作手段の往動操作の程度に応じて、表示ユニット取り付け手段のほぼ長さ方向に移動させられることができたり、表示ユニット取り付け手段から取り外されることができたりするので、被取り付け機構の上記移動および上記取り外しの操作が比較的簡単で比較的確実である。さらに、請求項５に記載の発明によれば、比較的簡単な構成でもって、第１の爪部に対する第２の爪部の接近をさらに簡単かつさらに確実に行うことができる。そして、請求項６に記載の発明によれば、第１の爪部に対する第２の爪部の接近および離間をさらに確実に行うことができる。
【００１３】
また、請求項７に記載の発明によれば、表示ユニット取り付け手段の第１および第２の長手状側端部が、比較的簡単な構成でもって、被取り付け機構の支持部材および爪部材を比較的確実かつ比較的強固に位置保持させることができる。そして、請求項８に記載の発明によれば、表示ユニット取り付け手段が第１および第２の長手状側端部を位置保持させたときに、支持部材および爪部材から第１および第２の長手状側端部に加わる力をできるだけ小さくすることができるので、表示ユニット取り付け手段の長手状開口部の両側端部にできるだけ力が加わらないようにすることができ、このために、表示ユニット取り付け手段の耐久性を比較的高めることができる。
【００１４】
また、請求項９に記載の発明によれば、表示ユニット本体と被取り付け機構との相互の間隔を支持アームの長さに応じて大きくすることができるので、取扱者が保育器から比較的離れた位置に居ても取扱者が表示ユニット本体の表示部を比較的容易に視認することができるように、支柱などが目障りにならない箇所に表示ユニット本体を配置することができる。それでいて、取扱者が保育器から比較的近い位置に居る場合には、取扱者は、表示ユニット本体を支持アームに対してほぼ水平方向やほぼ起伏方向に回動させたり、支持アームを被取り付け機構に対してほぼ水平方向に回動させたりして、表示ユニット本体の表示部を視認し易い位置や向きにすることができる。特に、表示ユニット本体が操作ユニット本体を兼ねているときには、取扱者が操作ユニット本体を操作し易い位置や向きにすることができる。さらに、請求項１０に記載の発明によれば、表示ユニットを取り付けるための支柱を別に設ける必要がなく、また、固定支柱には、長手状開口部をその側面にほぼ全長にわたって設けるだけでよいから、保育器の構成が特に複雑になるおそれがない。
【図面の簡単な説明】
【００１５】
【図１】本発明を閉鎖型保育器兼用の開放型保育器に適用した−実施例における保育器の、閉鎖型の状態での前側の側面図である。（実施例１）
【図２】操作ユニット兼用の表示ユニットの図示を省略した図１に示す保育器の、図１と同様の閉鎖型の状態での斜視図である。（実施例１）
【図３】図１に示す保育器の、操作ユニット兼用の表示ユニット付近の平面図である。（実施例１）
【図４】図３のＡ−Ａ線における断面図である。（実施例１）
【図５】図３に示す操作ユニット兼用の被取り付け機構付近の横断面図である。（実施例１）
【図６】被取り付け部機構を固定支柱に取り付ける直前の状態を示す、図５と同様の横断面図である。（実施例１）
【図７】被取り付け機構を固定支柱に取り付ける途中の状態を示す、図５と同様の横断面図である。（実施例１）
【図８】図５に示す被取り付け機構付近の要部を拡大して部分的に示す横断面図である。（実施例１）
【図９】固定支柱のみについての図１のＢ−Ｂ線における断面図である。（実施例１）
【図１０】図１に示す操作ユニット兼用の表示ユニットのユニット本体の正面図である。（実施例１）
【発明を実施するための最良の形態】
【００１６】
本発明を閉鎖型保育器兼用の開放型保育器に適用した−実施例を、「１、保育器全体の概略的な構成」、「２、操作ユニット兼用の表示ユニットの構成」および「３、操作ユニット兼用の表示ユニットの動作」に項分けして、図面を参照しつつ説明する。
【００１７】
１、保育器全体の概略的な構成
【００１８】
保育器１は、図１および図２に示すように、平面的に見てほぼ長方形状などの基台２と、この基台２のほぼ外周囲に沿って立設されているほぼ直方体形状などのエンクロージャ３とを備えている。そして、基台２上には、臥床架（図示せず）が配置されている。また、この臥床架上に配置されている児用のマット（図示せず）の上面には、必要に応じて薄いシーツ（図示せず）が敷かれてから、未熟児などの児が、上記児用マット上に横たわらされて、診察、処置、保育などを施される。さらに、エンクロージャ３は、全体としてほぼ透明であってよく、前側の壁部４、後側の壁部（図示せず）、頭側（換言すれば、基端部側）の壁部５および脚側（換言すれば、先端部側）の壁部６をそれぞれ備えている。そして、前側の壁部４、上記後側の壁部、頭側の壁部５および脚側の壁部６によって、平面的に見てほぼ長方形状などの周囲枠部が構成されている。また、前側の壁部４、上記後側の壁部、脚側の壁部６などは、フェンスまたは処置窓を構成しているので、児に対する診察、処置などを任意の方向から行えるようにするために、ほぼ下方に向かって往回動することまたはほぼ下方に向ってほぼ直線的に往動することなどによって開放され得るように構成されている。さらに、前側の壁部４、上記後側の壁部などには、左右一対などの手入れ窓７が配置されていてよい。なお、上述のように、前側の壁部４、上記後側の壁部および脚側の壁部６が完全に開放されたときには、保育器１を蘇生処置用装置としても用いることができる。
【００１９】
図１および図２に示す基台２は、ほぼ水平方向に延在するフレーム８に取り付け支持されている。そして、このフレーム８は、メイン支柱１１に支持されている。また、このメイン支柱１１は、それぞれが車輪１２付きの合計で例えば４本の腕部を有する左右一対のベース１３に取り付け支持されている。さらに、これら一対のベース１３は、共通の連結部材９によって、互いに連結されている。そして、この連結部材９には、メイン支柱１１が立設されている。また、図１および図２に示すメイン支柱１１に取り付け支持されているフレーム８には、図２に示すように互いにほぼ左右対称であってよい左右一対のサブ支柱１４ａ、１４ｂが共通の連結部材２２を介して取り付け支持されている。そして、これら左右一対のサブ支柱１４ａ、１４ｂは、頭側の壁部５から外方側に遠ざかる方向に向かってエンクロージャ３から離間した状態でもって、頭側の壁部５よりもさらに外方側に配置されている。
【００２０】
エンクロージャ３は、図１および図２に示すように、天面フード１５をさらに備えている。そして、左右一対のサブ支柱１４ａ、１４ｂのうちの図２における例えば左側の加熱器用サブ支柱１４ａには、図２に示すように、加熱器１６が支持軸１７によって取り付け支持されている。また、図２における例えば右側の天面フード用サブ支柱１４ｂには、天面フード１５が支持腕１８によって取り付け支持されている。この場合、天面フード１５は、ほぼ四角錐台形状などであってよく、また、その下面が開放された中空体であってよい。したがって、エンクロージャ３は、前記周囲枠部と、この周囲枠部の上端開口を選択的に覆うことができる天面フード１５とを備えている。そして、図１および図２に示す閉鎖型の状態での保育器１においては、エンクロージャ３は、ごく小さいほぼ小屋形状に構成されている。なお、左右一対のベース１３のうちの前側のベース１３には、前後一対のフットスイッチ１９ａ、１９ｂが互いに隣接して配設されている。そして、操作者が前側のフットスイッチ１９ａを足などで押圧操作したときには、フレーム８がメイン支柱１１に対して下降するので、このフレーム８に取り付けられている基台２などが同様に下降する。また、操作者が後側のフットスイッチ１９ｂを足などで押圧操作したときには、フレーム８がメイン支柱１１に対して上昇するので、このフレーム８に取り付けられている基台２などが同様に上昇する。
【００２１】
図１および図２に示す加熱器用サブ支柱１４ａおよび天面フード用サブ支柱１４ｂのそれぞれは、固定支柱２１および可動支柱（図示せず）から成っている。そして、左右一対のサブ支柱１４ａ、１４ｂの固定支柱２１の下端部は、共通の連結部材２２を介してフレーム８に取り付け支持されている。また、上記一対の可動支柱は、従動歯車、駆動用チェーン、駆動歯車、電動モータなどの昇降駆動機構（いずれも図示せず）によって、固定支柱２１内を上下方向にそれぞれ往復駆動（換言すれば、昇降駆動であって、固定支柱２１に対して伸縮可能に駆動）されるように構成されている。そして、天面フード１５が上昇位置まで移動したときには、保育器１は、開放型保育器として機能する。また、天面フード１５が図１および図２に示すように下降位置まで移動したときには、保育器１は、閉鎖型保育器として機能する。さらに、この閉鎖型保育器として機能するときには、加熱器１６は、その使用状態（この場合には、使用状態であっても少量の熱線しか放射されない。）においては上昇位置（図示せず）に留まり、その不使用状態においては図１および図２に示す下降位置まで移動していてよい。なお、加熱器１６およびその回動駆動機構のそれぞれの構成や加熱器１６と天面フード１５との相互の関係を含む保育器１の全体構成の詳細は、本発明の要旨ではないので、その詳細な図示および詳細な説明は、本文においては省略する。
【００２２】
基台２の脚側の壁部６側には、図２に示すように、開閉用ドア２５が配設されている。そして、この開閉用ドア２５は、加湿器としての加湿ユニット（図示せず）を保育器本体２６の基台２に装着したり取り出したりするのに用いられる開口２４を開閉することができる。また、天面フード１５用のサブ支柱１４ｂの固定支柱２１には、図１に示すように、操作ユニット兼用の表示ユニット３１（以下、本明細書においては、単に、「表示ユニット３１」ともいう。）が支柱２１に対して着脱可能にかつ支柱２１に沿ってほぼ上下方向に往復動可能に取り付けられている。なお、表示ユニット３１の構成および動作については、それぞれ後述する「２、操作ユニット兼用の表示ユニットの構成」および「３、操作ユニット兼用の表示ユニットの動作」の項において詳細に説明する。
【００２３】
２、操作ユニット兼用の表示ユニットの構成
【００２４】
表示ユニット３１は、図１、図３および図５に示すように、操作ユニット本体兼用の表示ユニット本体３２（以下、本明細書においては、単に、「表示ユニット本体３２」ともいう。）と、この表示ユニット本体３２をサブ支柱１４ｂに取り付けるための支持アーム機構３３とを備えている。そして、表示ユニット本体３２の後面には、後方に向って突出している被取り付け部３４が配設されている。また、この被取り付け部３４には、ほぼ水平方向に延在している連結軸３５が配設されている。さらに、この連結軸３５は、支持アーム機構３３の取り付け部３６に被取り付け部３４を回動可能に連結している。そして、この取り付け部３６は、ほぼ垂直方向に延在するように取り付け部材３６に形成されている連結軸部４３によって、支持アーム機構３３の支持アーム４２の先端部に回動可能に軸支されている。なお、支持アーム機構３３は、表示ユニット本体３２を支持アーム４２を介して固定支柱２１に取り付けるための被取り付け機構３９を備えている。また、支持アーム４２の基端部は、ほぼ垂直方向に延在している連結軸４０によって、被取り付け機構３９の支持部材４４に回動可能に連結されている。
【００２５】
一方、サブ支柱１４ｂの固定支柱２１は、図３および図９に示すように、その横断面がその長さ方向に沿ってほぼ均一である押し出し部材から構成されている。そして、この固定支柱２１の前側の側面には、この固定支柱２１の上端から下端までこの固定支柱２１を貫通して延在している案内溝４５が設けられている。なお、このような案内溝４５は、固定支柱２１の前側の側面以外のほぼ上下方向に延在している面にも設けられていてよい。そして、図示の実施例においては、このような案内溝４６が固定支柱２１の背面にも配設されている。また、支持部材４４には、固定側としての第１の爪部５１が一体成形などによって配設されるとともに、可動側としての第２の爪部５２が取り付け軸５３によって回動可能に取り付けられている。さらに、支持部材４４には、回動摘み５４がねじ込みおよびねじ戻し可能に取り付けられている。そして、第２の爪部５２が、この回動摘み５４のねじ込みおよびねじ戻しによって、取り付け軸５３を回動支点として図３における時計方向および反時計方向にそれぞれ回動するように構成されている。したがって、図３および図５に示す状態において、回動摘み５４を回動させることにより第１の爪部５１と第２の爪部５２との外側端の水平方向の間隔Ｌ１（図６参照）を狭くしてから、支持アーム４２（ひいては、支持部材４４）を前方（すなわち、図３の下方）に引っ張ることにより第１および第２の爪部５１、５２を案内溝４５から取り外すことによって、支持部材４４（ひいては、支持アーム機構３３および表示ユニット本体３２、換言すれば、表示ユニット３２の全体）を固定支柱２１から取り外すことができるように構成されている。
【００２６】
支持アーム４２の基端部付近には、図３および図４に示すように、ストッパ部５５が配設されている。そして、図３に示す支持アーム４２が支持部材４４に対して図３における時計方向に回動し過ぎないように、ストッパ部５５が支持部材４４に当接するように構成されている。また、図３に示す支持アーム４２が支持部材４４に対して図３における反時計方向に約１８０°回動したときには、支持アーム４２が支持部材４４に対して図３における反時計方向に回動し過ぎないように、ストッパ部５５が支持部材４４に当接するように構成されている。なお、右側のサブ支柱１４ｂの固定支柱２１の背面や左側のサブ支柱１４ａの固定支柱２１の前側の側面および背面にも、案内溝４５、４６が配設されている。したがって、表示ユニット３１の支持アーム機構３３を、これらの案内溝４５、４６を利用することによっても、サブ支柱１４ｂおよびサブ支柱１４ａに選択的に取り付けることができる。そして、回動摘み５４を或る程度ねじ戻してから表示ユニット３１を上方または下方に移動させることによって、後記３（ｃ）項に記載のように、表示ユニット３１を固定支柱２１における所望の高さ位置に移動させることもできる。
【００２７】
つぎに、支持アーム機構３３の構成を、図５〜図７を参照して、さらに詳細に説明すると、支持部材４４には、爪部材６１の大半をほぼ収納し得る凹部６２が形成されている。そして、爪部材６１は、この凹部６２にほぼ収納された状態において、取り付け軸５３によって支持部材４４に回動可能に軸支されている。また、爪部材６１の先端部には、前記第２の爪部５２が形成されるとともに、爪部材６１の後端部には、ねじ部材６５のねじ部６６が貫通している貫通孔としての長孔６３が形成されている。なお、長孔６３は、図５における紙面とほぼ平行な方向（換言すれば、爪部材６１のほぼ長さ方向）に長手状になっている。そして、回動つまみ５４のつまみ本体６４には、ねじ部材６５の基端部が取り付け固定されている。また、支持部材４４には、ねじ部材６５の先端部側であるねじ部６６がねじ込まれているねじ孔６７が凹部６２に連通するように形成されている。そして、ねじ部材６５には、その基端部とそのねじ部６６との間において（換言すれば、上記基端部に隣接して）、爪部材６１の位置決め用のフランジ部７１が配設されている。さらに、支持部材４４には、ばね受け用の凹部７２が凹部６２に連通するように形成されている。そして、この凹部７２には、ばね手段としての反撥用コイルばね７３の一半部分が収容されている。また、爪部材６１には、ばね７３を位置保持するためのピン７４が突設されている。
【００２８】
連結軸４０は、図４および図５に示すように、ボルトであってよい。そして、このボルト４０は、支持部材４０を貫通している貫通孔７６を貫通して延在している。また、このボルト４０の中間部分の外周囲は、位置保持のために、スリーブ７５によって覆われている。なお、図４において、符号７７および７８のそれぞれは、単なるキャップ部材を示している。そして、符号８１は、一対のワッシャを示している。また、符号８２は、皿ばねを示している。さらに、符号８３は、連結軸４０にねじ込み固定されているナットを示している。そして、ボルト４０、ワッシャ８１、皿ばね８２およびナット８３によって、支持アーム４２と支持部材４４とを連結している第１の連結機構８４が構成されている。また、被取り付け部３４と取り付け部３６とを連結している第２の連結機構８５は、第１の連結機構８４と実質的に同一の機構であってよい。また、第２の連結機構８５も、第１の連結機構８４における一対のキャップ部材７７、７８と同様の一対のキャップ部材によってカバーされていてよい。さらに、支持アーム４２と取り付け部材３６とを連結している第３の連結機構８６も、取り付け部材３６の連結軸部４３が第１の連結機構８４における連結軸４０を兼ねていることを除いて、第１の連結機構８４と実質的に同一の機構であってよい。そして、第３の連結機構８６も、第１の連結機構８４におけるキャップ部材７８と同様のキャップ部材８８によってカバーされていてよい。なお、ストッパ５５は、図４に示すように、筒状のストッパ本体８９と、このストッパ本体８７を支持アーム４２にねじ止めするねじ９１とから成っていてよい。
【００２９】
固定支柱２１の案内溝４５、４６のそれぞれは、図２および図９に示すように、その長さ方向においては、そのほぼ全長にわたって延在するとともに、その横断面においては、長手状開口部としての長手状入口部９２が比較的幅狭でかつ内部９３が長手状入口部９２を除いて盲穴に構成されている。そして、この盲穴９３は、間口が比較的幅広で奥行きが比較的小さい偏平形状に構成されている。したがって、塵埃などが案内溝４５、４６から固定支柱２１の内部空間９４に直接に入り込むおそれがない。一方、表示ユニット本体３２は、図１、図３および図１０に示すように、液晶表示パネル９５と、この液晶表示パネル９５の表示画面９６以外の部分をほぼ覆っている縁部材９７とを備えている。そして、縁部材９７の上端面には、警報灯９８が配設されている。また、縁部材９７の後面には、前記被取り付け部３４が配設されている。なお、図示を省略したが、表示ユニット本体３２は、基台２の内部に配置されているＣＰＵ（すなわち、中央処理装置）などの制御部とは、電気コードで接続されるように構成されている。
【００３０】
３、操作ユニット兼用の表示ユニットの動作
【００３１】
図１および図２に示す閉鎖型保育器として使用されている第１の状態と、フード１５が上方に移動している開放型保育器として使用されている第２の状態とのうちのいずれの状態に保育器１がなっていても、電源スイッチ（図示せず）をオンにした場合には、図１０に示す表示ユニット本体３２の表示画面９６には、保育器１のエンクロージャ３内の保育環境などについての各種の情報が表示される。なお、図１０に示す表示画面９６には、児の体温（すなわち、３７．０）、器内温（すなわち、３７．５）、エンクロージャ３内の酸素濃度（すなわち、２５）、エンクロージャ３内の湿度（すなわち、７０）などが表示される。例えば、図１０に示す表示画面９６は、タッチパネルタイプの液晶表示パネル９５の表示画面によって構成されている。また、操作者が表示画面９６中のエンクロージャ３内の温度の表示箇所付近を指などで触れると、表示画面９６は、図１０に示す状態から別の状態（図示せず）に変化する。そして、上記別の状態の表示画面９６中のアップボタン（図示せず）などを選択的に指などで触れると、表示画面９６中の設定湿度（すなわち、７０％）を所定の値に変更することができる。なお、図示を省略したが、保育器１には、エンクロージャ３内の酸素濃度を検出する酸素センサや、エンクロージャ３内の児の体温、心拍数、ＳＰＯ２（すなわち、パルスオキシメータで測定した血中酸素飽和度）などを検出する各種のセンサが配置されている。そして、これらのセンサによって検出された各種の情報についての検出信号が表示ユニット本体３２に供給される。したがって、上述の場合のように、あるいは、上述の場合に加えて、これらの検出信号に応じた各種の情報が、表示画面９６に表示される。
【００３２】
図１および図３に示す操作ユニット兼用の表示ユニット３１を例えばサブ支柱１４ｂの固定支柱２１に取り付ける場合には、つぎの（ａ）項〜（ｃ）項に記載の取り付け操作を行えばよい。
【００３３】
（ａ）まず、被取り付け機構３９の回動つまみ５４のつまみ本体６４を手動などにより復回動させることによって、ねじ部材６５を支持部材４４から或る程度ねじ戻す。このねじ戻しによって、図６に示すように、反撥用コイルばね７３が或る程度伸長状態になるので、爪部材６１は、フランジ部７１の復動量に応じて、取り付け軸５３を支点として図５の反時計方向に復回動する。そして、この復回動によって、第１の爪部５１と第２の爪部５２との水平方向の間隔Ｌ１が、図６に示すように、案内溝４５の入口部９２の間口の間隔Ｌ２とほぼ同一または上記間口の間隔Ｌ２よりも小さくなる。
【００３４】
（ｂ）ついで、第１および第２の爪部５１、５２を、図７に示すように、その入口部９２から案内溝４５に差し込む。
【００３５】
（ｃ）ついで、第１および第２の爪部５１、５２を、必要に応じて、案内溝４５のほぼ長さ方向（換言すれば、ほぼ高さ方向）における所望の高さ位置にしてから、つまみ本体６４を回動させることによりねじ部材６５をねじ込むと、図５に示すように、第１の爪部５１と第２の爪部５２とが図７に示す状態と較べて互いに離間するので、支持部材４４（ひいては、支持アーム機構３３および表示ユニット本体３２）が固定支柱２１に固定される。
【００３６】
表示ユニット３１をサブ支柱１４ｂの固定支柱２１から取り外す場合には、つぎの（ｄ）項および（ｅ）項に記載の取り外し操作を行えばよい。
【００３７】
（ｄ）まず、前記（ａ）項に記載の場合と同様にして、図７に示すように、ねじ部材６５を支持部材４４から或る程度ねじ戻す。
【００３８】
（ｅ）ついで、図６に示すように、第１および第２の爪部５１、５２をその入口部９２を通して案内溝４５から抜き出す。この抜き出しの後に、必要に応じて、前記（ｃ）項に記載のように、つまみ本体６４を回動させることによって、ねじ部材６５を支持部材４４にねじ込んでおくことができる。
【００３９】
図８には、被取り付け機構３９の支持部材４４が固定支柱２１に取り付け固定されている状態が簡略化して示されている。なお、第１の爪部５１の基端部の外側面（換言すれば、第２の爪部５２側とは反対側の側面）には、図８に示すように、凹み部１０１が形成されている。また、第２の爪部５２の基端部の外側面（換言すれば、第１の爪部５１側とは反対側の側面）には、凹み部１０２が形成されている。そして、図５に示すように、支持部材４４が固定支柱２１に取り付けられている取り付け状態においては、第１の爪部５１の凹み部１０１の先端側の部分１０７とこの凹み部１０１の基端側の部分（換言すれば、支持部材４４の一方の肩部１０４）とが、固定支柱２１の入口部９２の一方の側端部１０３を挟み込む。また、上記取り付け状態においては、第２の爪部５２の凹み部１０２の先端側の部分１０８と支持部材４４の他方の肩部１０５とが、固定支柱２１の長手状開口部としての長手状入口部９２の他方の側端部１０６を挟み込む。なお、一方の側端部１０３の外側面は、ほぼ平坦であって、同様にほぼ平坦である一方の肩部１０４にほぼ面接触状態で圧接している。そして、他方の側端部１０６の外側面１１３も、ほぼ平坦であって、同様にほぼ平坦である他方の肩部１０５にほぼ面接触状態で圧接している。また、一方の側端部１０３の内側面１１４と入口部９２との角部１１１は、ほぼ平坦である先端側の部分１０７にほぼ線接触状態で圧接している。そして、他方の側端部１０６と入口部９２との角部１１２は、ほぼ平坦である先端側の部分１０８にほぼ線接触状態で圧接している。
【００４０】
図８に示す状態においては、入口部９２の一方の側端部１０３は、その外側面１１３が一方の肩部１０４に圧接しかつその内側面１１４側の角部１１１が先端側の部分１０７に圧接している。しかし、一方の側端部１０３のうちの入口部９２の側面（換言すれば、角部１１１と一方の肩部１０４との間の領域）は、第１の爪部５１に接触していない。そして、入口部９２の他方の側端部１０６は、その外側面１１５が他方の肩部１０５に圧接しかつその内側面１１６と入口部９２との角部１１２が先端側の部分１０８に圧接している。しかし、他方の側端部１０６のうちの入口部９２の側面（換言すれば、角部１１２と凹み部１０２のうちの他方の肩部１０５に対向する部位との間の領域）は、第２の爪部５２に接触していない。そして、一方の肩部１０４と凹み部１０１の先端側の部分１０７との成す角度θ１は、図示の実施例においては、ほぼ３０°である。また、他方の肩部１０５と凹み部１０２の先端側の部分１０８との成す角度θ２は、図示の実施例においては、ほぼ３５°である。このために、凹み部１０１の先端側の部分１０７によって角部１１１に加えられる力Ｆ１は、一方の肩部１０４（換言すれば、一方の側端部１０３の外側面１１３）に対して垂直な方向の力Ｆ２と平行な方向の力Ｆ３とに分割される。また、凹み部１０２の先端側の部分１０８によって角部１１２に加えられる力Ｆ４は、他方の肩部１０５（換言すれば、他方の側端部１０６の外側面）に対して垂直な方向の力Ｆ５と平行な方向の力Ｆ６とに分割される。
【００４１】
上記力Ｆ１〜Ｆ６の関係は、つぎの（Ａ）項〜（Ｄ）項に記載のとおりである：
（Ａ）Ｆ２＝Ｆ１×ｃｏｓ３０°≒０．８６６Ｆ１、
（Ｂ）Ｆ３＝Ｆ１×ｓｉｎ３０°＝０．５Ｆ１、
（Ｃ）Ｆ５＝Ｆ４×ｃｏｓ３５°≒０．８１９Ｆ４、および
（Ｄ）Ｆ６＝Ｆ４×ｓｉｎ３５°≒０．５７３Ｆ４。
【００４２】
上述のとおりであるから、支持部材４４および爪部材６１から側端部１０３、１０４にできるだけ力が加わらないようにすることができ、このために、一方の側端部１０３および他方の側端部１０６が入口部９２の間隔Ｌ２（図６参照）を大きくするように変形するおそれがあまりない。そして、第１および第２の爪部５１、５２ならびに一方および他方の肩部１０４、１０５によって、入口部９２の一方および他方の側端部１０３、１０６をそれぞれ挟み込む力がこれら一方および他方の側端部１０３、１０６にそれぞれ加えられる。したがって、操作者がつまみ本体６４を特に強い力で往回動させなくても、被取り付け機構３９を固定支柱２１にガタ付きを生じないように確実に取り付けることができる。
【００４３】
上記角度θ１およびθ２のそれぞれは、実用性の観点から見て、一般的につぎの（Ｅ）項および（Ｆ）項に記載の数値範囲であるのが好ましい。なお、つぎの（Ｅ）項および（Ｆ）項におけるカッコ内の数値範囲の記載は、さらに好ましい数値範囲を示している。
【００４４】
（Ｅ）角度θ１が２０°〜４０°（２４°〜３６°）の範囲であること、および
（Ｆ）角度θ２が２４°〜４６°（２８°〜４２°）の範囲であること。
【００４５】
以上、本発明の一実施例について詳細に説明したが、本発明は、上述の実施例に限定されるものではなく、特許請求の範囲に記載されている発明の趣旨に基づいて各種の変更および修正が可能である。
【００４６】
例えば、上述の実施例においては、本発明を閉鎖型保育器兼用の開放型保育器に適用した。しかし、本発明は、閉鎖型保育器、開放型保育器などの他の保育器にも適用することができる。
【００４７】
また、上述の実施例においては、操作ユニット兼用の表示ユニット３１をサブ支柱１４ｂの固定支柱２１に取り付けることができるように構成した。しかし、表示ユニット３１は、サブ支柱１４ｂの固定支柱２１以外の各種の支柱（例えば、表示ユニット３１を専用に支持する支柱）に取り付けることもできる。
【００４８】
また、上述の実施例においては、表示ユニット取り付け手段が、固定支柱２１のほぼ長さ方向（換言すれば、ほぼ上下方向）に沿って延在している長手状開口部９２と、この長手状開口部９２の一方の側に沿って延在している第１の長手状側端部１０３と、上記長手状開口部９２の他方の側に沿って延在している第２の長手状側端部１０６とを備えている。また、被取り付け機構３９が、第１の爪部５１を有する支持部材４４と、この支持部材４４に回動可能に支持されかつ第２の爪部５２を有する爪部材６１とを備えている。そして、第１の爪部５１が第１の長手状側端部１０３と係合するとともに、第２の爪部５２が第２の長手状側端部１０６と係合するように構成した。しかし、表示ユニット取り付け手段は、固定支柱２１のほぼ長さ方向に沿って延在している長手状の突出部から構成されていてもよい。この場合、上記長手状突出部は、支柱２１にその基端側を結合されて支柱２１に一体成形されている長手状の幅狭部と、この長手状幅狭部の先端側に一体成形されている長手状の幅広部とを備えていてよい。そして、長手状突出部は、その横断面が例えばほぼ鍵穴形状であってよい。さらに、第１および第２の爪部５１、５２は、それらの互いに対向する内側面によって、上記幅狭部と上記幅広部との境界領域付近をその両側から挟み込むように構成されていてよい。
【００４９】
また、上述の実施例においては、爪部材６１を往復回動させるために操作される操作手段としての回動摘み５４を設けた。しかし、このような回動摘み５４に代えて、爪部材６１を往復動させるために操作される別の操作手段（例えば、上記カムを往復動させるために操作される操作つまみ）を設けてもよく、さらには、上記操作手段を弾性付勢手段に代えることによって、上記操作手段を省略してもよい。
【００５０】
さらに、上述の実施例においては、爪部材６１を支持部材４４に取り付け軸５３によって往復回動可能に軸支している。しかし、爪部材は、往復回動以外の往復動を行うように構成されていてもよく、例えば、カムとカムフォロアとを用いて往復動するように構成されていてもよい。
【符号の説明】
【００５１】
１        閉鎖型保育器兼用の開放型保育器（保育器）
１４ａ    サブ支柱
１４ｂ    サブ支柱
１５      天面フード
１６      加熱器
２１      固定支柱（支柱）
３１      操作ユニット兼用の表示ユニット（表示ユニット）
３２      表示ユニット本体（操作ユニット本体兼用の表示ユニット本体）
３９      被取り付け機構
４２      支持アーム
４４      支持部材
５１      第１の爪部
５２      第２の爪部
５４      回動摘み（操作手段）
６１      爪部材
６３      長孔
６５      ねじ部材
７３      コイルばね（ばね手段、付勢手段）
９２      長手状入口部（長手状開口部）
１０３    一方の長手状側端部（第１の長手状側端部）
１０４    一方の肩部（第１の肩部）
１０５    他方の肩部（第２の肩部）
１０６    他方の長手状側端部（第２の長手状側端部）
１０７    第１の先端側の部分
１０８    第２の先端側の部分
【図１】
0005896819.tif 000002
【図２】
0005896819.tif 000003
【図３】
0005896819.tif 000004
【図４】
0005896819.tif 000005
【図５】
0005896819.tif 000006
【図６】
0005896819.tif 000007
【図７】
0005896819.tif 000008
【図８】
0005896819.tif 000009
【図９】
0005896819.tif 000010
【図１０】
0005896819.tif 000011